(57)【特許請求の範囲】
【請求項１】
携帯端末装置にＳＩＭカードを保持するためのＳＩＭカード保持構造において、
前記携帯端末装置に電力を供給するバッテリーと、
前記携帯端末装置の筐体で前記バッテリーを収容しバッテリーカバーでカバーし固定するバッテリー収容部と、
前記バッテリー収容部内で前記ＳＩＭカードを収容し、基板に固定されバネ性を持つＳＩＭコネクターを有し、前記ＳＩＭコネクターと前記ＳＩＭカードの端子部とが電気的に接触するＳＩＭカード収容部と、
前記ＳＩＭカード収容部に溶着され、板金バネを有し、前記ＳＩＭコネクターと前記板金バネの間に前記ＳＩＭカードが挟まれる板金とを備え、
前記板金は、前記ＳＩＭカード収容部にＳＩＭカードが収容され、前記バッテリー収容部にバッテリーが前記板金の板金バネと接触するように収容され、さらに、前記バッテリーカバーで前記バッテリーが固定された場合、前記バッテリーが、前記板金バネを介して、前記ＳＩＭカードを押さえ、前記ＳＩＭカードの端子部と前記ＳＩＭコネクターの電気的な接触を保持し、前記筐体の変形、前記ＳＩＭカードの厚さのバラツキに起因して前記ＳＩＭカード収容部で前記ＳＩＭコネクターと前記ＳＩＭカードの端子部との電気的接続が絶たれるのを防止するＳＩＭロック機能を有することを特徴とするＳＩＭカード保持構造。
【請求項２】
前記板金バネは、前記板金に切り込みを入れて一端を残した細長い板をＳ字形状に塑性変形して複数形成され、各々には前記バッテリー側に接触するバッテリー側板金バネ部と前記ＳＩＭカード側に接触するＳＩＭカード側板金バネ部を備えることを特徴とする、請求項１に記載のＳＩＭカード保持構造。
【請求項３】
前記ＳＩＭコネクターの端子部はバネ性を有することを特徴とする、請求項１に記載のＳＩＭカード保持構造。
【請求項４】
前記ＳＩＭロック機能は、前記バッテリー収容部の前記ＳＩＭカード収容部の前記筐体の一部として設けられることを特徴とする、請求項１に記載のＳＩＭカード保持構造。
【請求項５】
前記ＳＩＭロック機能は、前記ＳＩＭコネクターに設けられることを特徴とする、請求項１に記載のＳＩＭカード保持構造。
【請求項６】
ＳＩＭカードを保持する携帯端末装置において、
前記携帯端末装置に電力を供給するバッテリーと、
前記携帯端末装置の筐体で前記バッテリーを収容しバッテリーカバーでカバーし固定するバッテリー収容部と、
前記バッテリー収容部内で前記ＳＩＭカードを収容し、基板に固定されバネ性を持つＳＩＭコネクターを有し、前記ＳＩＭコネクターと前記ＳＩＭカードの端子部とが電気的に接触するＳＩＭカード収容部と、
前記ＳＩＭカード収容部に溶着され、板金バネを有し、前記ＳＩＭコネクターと前記板金バネの間に前記ＳＩＭカードが挟まれる板金とを備え、
前記板金は、前記ＳＩＭカード収容部にＳＩＭカードが収容され、前記バッテリー収容部にバッテリーが前記板金の板金バネと接触するように収容され、さらに、前記バッテリーカバーで前記バッテリーが固定された場合、前記バッテリーが、前記板金バネを介して、前記ＳＩＭカードを押さえ、前記ＳＩＭカードの端子部と前記ＳＩＭコネクターの電気的な接触を保持し、前記筐体の変形、前記ＳＩＭカードの厚さのバラツキに起因して前記ＳＩＭカード収容部で前記ＳＩＭコネクターと前記ＳＩＭカードの端子部との電気的接続が絶たれるのを防止するＳＩＭロック機能を有することを特徴とする携帯端末装置。
【発明の詳細な説明】
【技術分野】
【０００１】
本発明は携帯端末装置のＳＩＭ（Ｓｕｂｓｃｒｉｂｅｒ  Ｉｄｅｎｔｉｔｙ  Ｍｏｄｕｌｅ）カード保持構造に関する。特に、本発明は、携帯端末装置の落下の衝撃等に対してＳＩＭカードの接触リードエラーが発生するのを防止するためのＳＩＭカード保持構造及び携帯端末装置に関する。
【背景技術】
【０００２】
図１０は本発明の前提となる携帯端末装置にＳＩＭカードを保持する例を説明する図である。なお、全図を通して同一の構成要素には同一の番号、符号を付す。
本図に示すように、携帯端末装置１００の筐体１０１にはバッテリー収容部１０２が設けられ、バッテリー収容部１０２は携帯端末装置１００に対して電力を供給するバッテリー１０７を収容し固定し、バッテリー１０７はバッテリーカバー１０８によりカバーされる。
【０００３】
バッテリー収容部１０２にはＳＩＭカード収容部１０３が設けられ、さらに、ＳＩＭカード収容部１０３は基板１０４に固定され電気的に接続されているＳＩＭコネクター１０５を有し、ＳＩＭ（Ｓｕｂｓｃｒｉｂｅｒ  Ｉｄｅｎｔｉｔｙ  Ｍｏｄｕｌｅ）カード１０６を収容し、ＳＩＭカード収容部１０３では、ＳＩＭコネクター１０５の端子部とＳＩＭカード１０６の端子部が電気的に接続する。なお、ＳＩＭコネクター１０５の端子部１０５Ａはバネ性を有する。
【０００４】
ＳＩＭカード１０６は着脱可能であり、ＳＩＭカード収容部１０３に収容され、バッテリー１０７、バッテリーカバー１０８を携帯端末装置１００に取り付ける際にバッテリー１０７がＳＩＭカード１０６を押しＳＩＭカード１０６に力を加えて固定することによりＳＩＭコネクター１０５の端子部１０５Ａに対してＳＩＭカード１０６の端子部との接触を行い電気的な接続を保持する。この場合、ＳＩＭコネクター１０５の端子部１０５Ａのバネ性はＳＩＭカード１０６の端子部との電気的な接続を助ける機能を有する。
【０００５】
また、バッテリーカバー１０８、バッテリー１０７を取り外すことにより、ＳＩＭコネクター１０５の端子部１０５ＡからＳＩＭカード１０６の端子部への保持が解除される。
図１１はバッテリー１０７、バッテリーカバー１０８を透視した携帯端末装置１００のＳＩＭカード保持状態の概略を説明する図である。
本図に示すように、携帯端末装置１００の筐体１０１のＳＩＭカード収容部１０３内にはＳＩＭカード１０６が保持される。
【０００６】
ＳＩＭカード１０６には個別の電話番号が書き込まれ、現在、ＳＩＭカード１０６を変更するだけで多くの携帯端末装置１００が使用できるようになっている。ＳＩＭカード１０６は多くの携帯端末装置１００で採用されており、全世界で使用されている。
また、携帯端末装置１００では小型化、さらに、デザインの多様化に伴い、ＳＩＭカード１０６の保持構造の小型化が要求されている。
【０００７】
従来、ＳＩＭカード保持構造の小型化に伴い、ＳＩＭカード１０６を筐体１０１で保持する構造が多く採用されているが以下のような問題がある。
図１２は図１１の線Ａ−Ａについての断面図である。本図（ａ）に示すように、通常時、筐体１０１内の基板１０４にはＳＩＭコネクター１０５が実装され、ＳＩＭコネクター１０５の端子部１０５ＡとＳＩＭカード１０６の端子部が接触するように、ＳＩＭコネクター１０５の上にＳＩＭカード１０６が置かれる。
【０００８】
また、ＳＩＭカード１０６はその利便性のためバッテリ１０７の下に配置され、バッテリ１０７、バッテリーカバー１０８により固定されている。
しかしながら、本図(ｂ)に示すように、筐体１０１でＳＩＭカード１０６を保持する構造の場合、携帯端末装置の落下時等の衝撃による筐体１０１の変形によりバッテリー１０７が浮き上がる場合があり、この場合ＳＩＭカード１０６の端子部とＳＩＭコネクター１０５の端子部１０５Ａが物理的に離れてしまう場合がある。この場合、ＳＩＭカード１０６の端子部とＳＩＭコネクター１０５の端子部１０５Ａの間で電気的に接続が絶たれ、ＳＩＭカード１０６に接触リードエラーが発生し問題となっている。
【０００９】
ＳＩＭカード１１０の保持構造を強固にしようとすると、筐体１０１を強固にしなければならず、構造が大きくなり、結果として、携帯端末装置１００の構造の大型化を招来するという問題がある。
さらに、本図(ｃ)に示すように、ＳＩＭカード１０６は全世界で使用され、製作されているため、ＳＩＭカード１０６の厚さのバラツキが大きく、厚さ方向で、ＳＩＭカード１０６を保持する構造であるので、バラツキ発生時にバラツキに起因して、ＳＩＭカード１０６の厚さが薄くバッテリー１０７とＳＩＭカード１０６の間に間隙ができ、ＳＩＭコネクター１０５の端子部１０５Ａのバネが効かず、ＳＩＭカード１０６が浮き上がる場合があり、この場合ＳＩＭカード１０６の端子部とＳＩＭコネクター１０５の端子部１０５Ａが物理的に離れてしまう場合がある。この場合、ＳＩＭカード１０６の端子部とＳＩＭコネクター１０５の端子部１０５Ａの間で電気的に接続が絶たれ、ＳＩＭカード１０６に接触リードエラーが発生し問題となっている。
【００１０】
このようなＳＩＭカード１１０の保持構造に関する従来の技術として、以下のものがある。
従来、防水や防塵を廉価で簡単に行えるようにするため、携帯電話機の筺体には開口が設けられ、この開口に、筺体の内部に実装されたプリント配線板の接触端子が臨んでおり、ＳＩＭカードを開口に臨むようにしてプリント配線板に固定することにより、ＳＩＭカードの端子と接触端子が電気的に接続され、バッテリーの係合凸条を係合片に係合させ、係合凸条にロックボタンを係合させ、バッテリーをバッテリー収納部内に収納し、バッテリーが開口の端縁に接着したシール材を押し潰すことにより、開口が外部から密閉されるものがある（例えば、特許文献１参照）。
【００１１】
しかしながら、特許文献１は、携帯端末装置の落下時の衝撃、ＳＩＭカードの厚さのバラツキに起因するＳＩＭカードの電気的な接触リードエラーを防止するものではない。
また、従来、カメラ識別カードの不用意な脱落，損傷を防ぐことを目的として、カメラ識別カードの挿入あるいは過程において、カード挿入口に設けた突出部が、カメラ識別カードの符号表示面における表示領域外の部位のみに接触するため、従来のように符号表示面がカード保持部材の内面に対して摺動して、擦り傷などを発生させるおそれがなくなり、さらに、突出部の下側が、カメラ識別カードの上端部と係合するため、カメラ識別カードの肉厚のばらつきに影響されずに抜け止めとしての機能を果し、板ばねの付勢力の作用と共に、カメラ識別カードの落脱を確実に防ぐことができるものもある（例えば、特許文献２参照）。
【００１２】
しかしながら、上記特許文献２は、携帯端末装置の落下時の衝撃、ＳＩＭカードの厚さのバラツキに起因するＳＩＭカードの電気的な接触リードエラーを防止するものではない。
また、従来、特別の専用部品を使用せず安価で、かつ、装着状態の確認と取り外しを容易に行うことができる携帯電話機のＳＩＭカード取りつけ構造を提供することを目的として、携帯電話機の表面側筐体の背面部に設けられ、ＳＩＭカード１がはめ込まれるように形成されたＳＩＭカード取り付け用の有底の穴部と、一端が筐体の背面部に一体成形で取り付けられて穴部の上方に延び、弾性的にＳＩＭカードを押圧する弾性部材でなる押さえ部と、穴部の底に、ＳＩＭカード１の電極に対向する位置に取り付けられた弾性部材で成るＳＩＭカード用電極端子とを有し、押さえ部の一端は、当該携帯電話機の縦方向の、ＳＩＭカード取り付け用の穴部の端部に、縦方向板ばねとして働くように取り付けられており、押さえ部は、該押さえ部に適正な弾性を与え、かつ、ＳＩＭカードの操作を容易にするための切り欠き部を有するものもある（例えば、特許文献３参照）。
【００１３】
しかしながら、上記特許文献３は、携帯端末装置の落下時の衝撃、ＳＩＭカードの厚さのバラツキに起因するＳＩＭカードの電気的な接触リードエラーを防止するものではない。
また、従来、ＳＩＭカードとして好適な電子コネクタを提供することを目的として、コネクタは対応する接合部分のコンタクトに電子接続するためのコンタクトを支える基板を有し、電子コネクタのコンタクトは弾性的に変形可能な空洞突起であり、コネクタはスマートカードリーダーとして特別に使用できるものもある（例えば、特許文献４参照）。
【００１４】
しかしながら、上記特許文献４は、携帯端末装置の落下時の衝撃、ＳＩＭカードの厚さのバラツキに起因するＳＩＭカードの電気的な接触リードエラーを防止するものではない。
また、従来、電池側の構成によってＳＩＭカードを端末本体に確実に保持させることを目的として、カード押さえを有する電池パックと、所定の情報を内蔵し外面に接点を有する情報記録カードと、前記電池パックを電源とするとともに情報記録カードと接続して前記情報を受けることにより送受信が可能となる携帯電話端末本体と、この携帯電話端末本体と係り合うことにより携帯電話端末本体に対して電池パック及び情報記録カードを装填するカバーとからなり、前記携帯電話端末本体は前記装填時に情報記録カードを受け入れる凹部を有し、凹部の底には情報記録カードの接点と弾力的に当たる端子が設けられていることを特徴とするものもある（例えば、特許文献５参照）。
【００１５】
しかしながら、上記特許文献５は、携帯端末装置の落下時の衝撃、ＳＩＭカードの厚さのバラツキに起因するＳＩＭカードの電気的な接触リードエラーを防止するものではない。
また、従来、コイルばね端子に代わり均一な圧接力を生じる薄型の板バネ端子を提供するものであり、さらにその板バネ端子を使用して小型で薄型のエレクトレットコンデンサマイクロホンを提供することを目的として、板バネ端子であるゲートスプリングは、平行する２辺の直線部を有し、その２辺の直線部を連結するためのベース部を有するベース部と、そのベース部の直線部の内側より切り起こされた切起部と、そのベース部は略への字状に折り曲げられており、また切起部は端部付近で略への字状に折り曲げらた切起端部が設けられており、このため、ゲートスプリングで押圧する対象物に対し、平行する２辺の直線部が接点となり押圧することができるため、対象物に対し各接点から均等な力が加わり偏り無く対象物を支えることができるものもある（例えば、特許文献６参照）。
【００１６】
しかしながら、上記特許文献５は、携帯端末装置の落下時の衝撃、ＳＩＭカードの厚さのバラツキに起因するＳＩＭカードの電気的な接触リードエラーを防止するものではない。
【００１７】
【特許文献１】特開２００２−１７６４８１号公報
【特許文献２】特開２００２−１９９２６３号公報
【特許文献３】特開２００２−２１８０３２号公報
【特許文献４】特開２００２−２６０７６３号公報
【特許文献５】特開２００３−３３８８５８号公報
【特許文献６】特開２００５−１２９９７３号公報
【発明の開示】
【発明が解決しようとする課題】
【００１８】
したがって、本発明は上記問題点に鑑みて、携帯端末装置の落下時の衝撃、ＳＩＭカードの厚さのバラツキに起因するＳＩＭカードの電気的な接触リードエラーを防止するＳＩＭカード保持構造及び携帯端末装置を提供することを目的とする。
【課題を解決するための手段】
【００１９】
本発明は前記問題点を解決するために、携帯端末装置にＳＩＭカードを保持するためのＳＩＭカード保持構造において、前記携帯端末装置に電力を供給するバッテリーと、前記携帯端末装置の筐体で前記バッテリーを収容しバッテリーカバーでカバーし固定するバッテリー収容部と、前記バッテリー収容部内で前記ＳＩＭカードを収容し、基板に固定されバネ性を持つＳＩＭコネクターを有し、前記ＳＩＭコネクターと前記ＳＩＭカードの端子部とが電気的に接触するＳＩＭカード収容部と、前記ＳＩＭカード収容部に溶着され、板金バネを有し、前記ＳＩＭコネクターと前記板金バネの間に前記ＳＩＭカードが挟まれる板金とを備え、
前記板金は、前記ＳＩＭカード収容部にＳＩＭカードが収容され、前記バッテリー収容部にバッテリーが前記板金の板金バネと接触するように収容され、さらに、前記バッテリーカバーで前記バッテリーが固定された場合、前記バッテリーが、前記板金バネを介して、前記ＳＩＭカードを押さえ、前記ＳＩＭカードの端子部と前記ＳＩＭコネクターの電気的な接触を保持し、前記筐体の変形、前記ＳＩＭカードの厚さのバラツキに起因して前記ＳＩＭカード収容部で前記ＳＩＭコネクターと前記ＳＩＭカードの端子部との電気的接続が絶たれるのを防止するＳＩＭロック機能を有することを特徴とするＳＩＭカード保持構造を提供する。
【００２０】
さらに、前記板金バネは、前記板金に切り込みを入れて一端を残した細長い板をＳ字形状に塑性変形して複数形成され、各々には前記バッテリー側に接触するバッテリー側板金バネ部と前記ＳＩＭカード側に接触するＳＩＭカード側板金バネ部を備える。
さらに、前記ＳＩＭコネクターの端子部はバネ性を有する。
さらに、前記ＳＩＭロック機能は、前記バッテリー収容部の前記ＳＩＭカード収容部の前記筐体の一部として設けられる。
【００２１】
さらに、前記ＳＩＭロック機能は、前記ＳＩＭコネクターに設けられる。
さらに、本発明は、ＳＩＭカードを保持する携帯端末装置において、前記携帯端末装置に電力を供給するバッテリーと、前記携帯端末装置の筐体で前記バッテリーを収容しバッテリーカバーでカバーし固定するバッテリー収容部と、前記バッテリー収容部内で前記ＳＩＭカードを収容し、基板に固定されバネ性を持つＳＩＭコネクターを有し、前記ＳＩＭコネクターと前記ＳＩＭカードの端子部とが電気的に接触するＳＩＭカード収容部と、前記ＳＩＭカード収容部に溶着され、板金バネを有し、前記ＳＩＭコネクターと前記板金バネの間に前記ＳＩＭカードが挟まれる板金とを備え、前記板金は、前記ＳＩＭカード収容部にＳＩＭカードが収容され、前記バッテリー収容部にバッテリーが前記板金の板金バネと接触するように収容され、さらに、前記バッテリーカバーで前記バッテリーが固定された場合、前記バッテリーが、前記板金バネを介して、前記ＳＩＭカードを押さえ、前記ＳＩＭカードの端子部と前記ＳＩＭコネクターの電気的な接触を保持し、前記筐体の変形、前記ＳＩＭカードの厚さのバラツキに起因して前記ＳＩＭカード収容部で前記ＳＩＭコネクターと前記ＳＩＭカードの端子部との電気的接続が絶たれるのを防止するＳＩＭロック機能を有することを特徴とする携帯端末装置を提供する。
【発明の効果】
【００２２】
以上説明したように、本発明によれば、携帯端末装置にＳＩＭカードを保持するためのＳＩＭカード保持構造において、携帯端末装置に電力を供給するバッテリーと、携帯端末装置の筐体でバッテリーを収容し固定するバッテリー収容部と、バッテリー収容部内でＳＩＭカードを収容しバッテリーの固定と共にＳＩＭカードを固定するＳＩＭカード収容部と、ＳＩＭカードの端子部と電気的に接触する端子部を有し、基板に固定されＳＩＭコネクターと、ＳＩＭカード収容部に板金バネを有する板金を溶着し、板金の板金バネとＳＩＭコネクターの間でＳＩＭカードを取り付け、取り外し可能にし、バッテリー収容部にバッテリーを収容時に板金の板金バネでＳＩＭカードを保持するＳＩＭロックを備えるようにしたので、携帯端末装置の落下時の衝撃、ＳＩＭカードの厚さのバラツキに対して、ＳＩＭカードとＳＩＭコネクターの電気的接続が保持され、ＳＩＭカードが接触リードエラーを発生し難くなる。
【００２３】
さらに、ＳＩＭロックは従来構造と比較してＳＩＭカードの脱着の容易性に遜色がない保持構造を有する。
さらに、ＳＩＭロックの保持構造は、ＳＩＭコネクターの端子部が設けられている基板上の筐体に薄い板金で製作したＳＩＭロックを設けるだけであるので、実装上のデッドスペースが発生しないので、省スペースにて実現可能である。
【発明を実施するための最良の形態】
【００２４】
以下、本発明の実施の形態について図面を参照して説明する。
図１は本発明に係る携帯端末装置におけるＳＩＭ（Ｓｕｂｓｃｒｉｂｅｒ  Ｉｄｅｎｔｉｔｙ  Ｍｏｄｕｌｅ）カード保持構造の概略を示す図である。本図に示すように、携帯端末装置１００の筐体１０１に設けられたバッテリー収容部１０２のＳＩＭカード収容部１０３内にＳＩＭコネクター１０５が設けられるが、図１０と比較して、ＳＩＭカード収容部１０３にＳＩＭロック１１１が設けられる。
【００２５】
ＳＩＭロック１１１は、ＳＩＭコネクター１０５の上でＳＩＭカード収容部１０３に、溶着等の手段により、取り付けられる板金１０９で構成され、板金１０９は長方形の薄板であり、板金１０９の中央部に複数の板金バネ１１０を備え、板金バネ１１０のバネ特性によりＳＩＭカード１０６をＳＩＭカード収容部１０３に保持するロック構造を有する。
ＳＩＭカード１０６はＳＩＭカード収容部１０３への収容時にＳＩＭコネクター１０５の端子部１０５Ａと板金１０９の板金バネ１１０との間に挟まれる。
【００２６】
図２は図１における板金１０９の板金バネ１１０の構造を詳細に説明する図である。本図に示すように、板金バネ１１０は、板金１０９において一端を残し細長い板になるように切り込みを入れ細長い板をＳ字形状に塑性変形して複数形成され、各々にはバッテリー側板金バネ部１１０Ａ及びＳＩＭカード側板金バネ部１１０Ｂが設けられる。
バッテリー側板金バネ部１１０Ａは飛び出しているＳ字形状の一方の湾曲部でバッテリー１０７側に接触し、ＳＩＭカード側板金バネ部１１０Ｂは飛び出しているＳ字形状の他方の湾曲部でＳＩＭカード１０６側に接触する。
【００２７】
このようにして、板金１０９はバネ性を備えることになる。
図３、図４はＳＩＭカード保持構造を有する携帯端末装置１００にＳＩＭカード１０６を取り付ける例を説明する図である。
さらに、図３（ａ）はＳＩＭカード１０６をＳＩＭロック１１１に装着する前の様子を示す図であり、図３（ｂ）は図３（ａ）の線Ｂ−Ｂについての断面図である。
【００２８】
さらに、図４（ａ）はＳＩＭカード１０６をＳＩＭロック１１１に装着する途中の様子を示す図であり、図４（ｂ）は図４（ａ）の線Ｃ−Ｃについての断面図である。
図３、図４に示すように、ＳＩＭカード収容部１０３にＳＩＭカード１０６を取り付ける際に十分なスペースがある。
図５はバッテリー１０７を装着時のＳＩＭロック１１１の動作例を説明する断面図である。本図（ａ）に示すように、ＳＩＭカード１０６をＳＩＭカード収容部１０３に取り付けた後には板金バネ１１０のＳＩＭカード側板金バネ部１１０Ｂが持ち上がり変形する。
【００２９】
ＳＩＭカード１０６と板金１０９のＳＩＭカード側板金バネ部１１０Ｂが接触した状態で、バッテリー１０７がバッテリー収容部１０２に装着され、バッテリーカバー１０８が筐体１０１に装着される。
本図(ｂ)に示すように、バッテリー１０７装着時には、バッテリー１０７がＳＩＭカード１０６を押さえ、この場合、板金バネ１１０のバッテリー側板金バネ部１１０Ａがバッテリー１０７に接触し、バッテリー１０７からの力で、バッテリー側板金バネ部１１０Ａ、ＳＩＭカード側板金バネ部１１０Ｂが撓む。これにより、ＳＩＭロック１１１の板金１０９はＳＩＭコネクター１０５に対してＳＩＭカード１０６を強力に押さえることになる。
【００３０】
一方、ＳＩＭカード１０６をＳＩＭカード収容部１０３から取り外す際は、筐体１０１からバッテリーカバー１０８を取り外し、さらに、バッテリー収容部１０２からバッテリー１０７を取り外し、これにより強力に押さえていたＳＩＭロック１１１における板金１０９の板金バネ１１０の形状が緩みＳＩＭカード１０６が取り外し可能となる。また、ＳＩＭカード１０６を取り外すのに十分なスペースがあるため取り外しは容易である。
【００３１】
このようにして、ＳＩＭロック１１１は従来構造と比較してＳＩＭカード１０６の脱着の容易性に遜色がない保持構造を有する。
さらに、ＳＩＭロック１１１の保持構造は、ＳＩＭコネクター１０５の端子部１０５Ａが設けられている基板１０４上の筐体１０１に薄い板金１０９で製作したＳＩＭロック１１１を設けるだけであるので、実装上のデッドスペースが発生しないので、省スペースにて実現可能である。
【００３２】
図６はバッテリー１０７、バッテリーカバー１０８を透視した本発明に係る携帯端末装置１００のＳＩＭカード保持状態の概略を説明する図である。
本図に示すように、ＳＩＭカード１０６はＳＩＭカード収容部１０３に取り付けられ、ＳＩＭロック１１１により保持される。
図７は図６の線Ｄ−Ｄについての断面図である。本図（ａ）はバッテリー１０７の装着時のＳＩＭカード保持状態を示す図であり、本図（ｂ）は携帯端末装置１００の落下時のＳＩＭカード保持状態を示す図であり、本図（ｃ）はＳＩＭカードにバラツキがある場合のＳＩＭカード保持状態を示す図である。
【００３３】
本図(ｂ)に示すように、落下時には携帯端末装置１００に衝撃が加わって、本図(ａ)と比較して、筐体１０１が変形し、バッテリー１０７が浮き上がっても、ＳＩＭロック１１１の板金バネ１１０により、バッテリー１０７でＳＩＭカード１０６を押さえており、ＳＩＭカード１０６の端子部とＳＩＭコネクター１０５の端子部１０５Ａが物理的に離れず、ＳＩＭカード１０６の端子部とＳＩＭコネクター１０５の端子部１０５Ａの間の電気的接続が保持される。
【００３４】
本図(ｃ)に示すように、ＳＩＭカード１０６のバラツキに起因してＳＩＭカード１０６の厚さが薄くなっても、本図(ａ)と比較して、ＳＩＭカード１０６とバッテリー１０７の間に間隙が発生しても、ＳＩＭロック１１１の板金バネ１１０により、バッテリー１０７でＳＩＭカード１０６を押さえており、ＳＩＭカード１０６の端子部とＳＩＭコネクター１０５の端子部１０５Ａが物理的に離れず、ＳＩＭカード１０６の端子部とＳＩＭコネクター１０５の端子部１０５Ａの間の電気的接続が保持される。
【００３５】
したがって、本発明によれば、携帯端末装置１００の落下時の衝撃、ＳＩＭカード１０６の厚さのバラツキに対して、ＳＩＭカード１０６とＳＩＭコネクター１０５の電気的接続が保持され、ＳＩＭカード１０６が接触リードエラーを発生し難くなる。
【実施例１】
【００３６】
図８は図１における第１の変形例であり、携帯端末装置におけるＳＩＭカード保持構造のＳＩＭロック１１１の作製概略例を説明する図である。
本図(ａ)は携帯端末装置のＳＩＭカード保持構造を示す斜視図であり、ＳＩＭカード保持構造のＳＩＭロック１１１はバッテリー収容部１０２のＳＩＭカード収容部１０３の筐体１０１の一部として作製される。
【００３７】
本図(ｂ)はＳＩＭカード収容部１０３にＳＩＭカード１０６が取り付けられた様子を示す正面図であり、本図（ｃ）は本図（ｂ）の線Ｅ−Ｅについての断面図である。
本図(ｂ)、（ｃ）に示すように、ＳＩＭカード収容部１０３にＳＩＭカード１０６が保持される。このようにして、部品点数の減少、搭載により組立て工数の減少が実現できる。
【実施例２】
【００３８】
図９は図１における第２の変形例であり、携帯端末装置におけるＳＩＭカード保持構造のＳＩＭロック１１１の作製概略例を説明する斜視図である。
本図に示すように、ＳＩＭコネクター１０５にＳＩＭロック１１１が作製される。この場合にも、同様に、部品点数の減少、搭載により組立て工数の減少が実現できる。また、コネクター部品を標準化することでコストの低減も期待できる。
【産業上の利用可能性】
【００３９】
以上、携帯端末装置について説明を行ったが、これに限らず、携帯電話機、ＰＨＳ（簡易携帯電話機）、ＰＤＡ（携帯情報端末）にも利用可能である。
【図面の簡単な説明】
【００４０】
【図１】本発明に係る携帯端末装置におけるＳＩＭ（Ｓｕｂｓｃｒｉｂｅｒ  Ｉｄｅｎｔｉｔｙ  Ｍｏｄｕｌｅ）カード保持構造の概略を示す図である。
【図２】図１における板金１０９の板金バネ１１０の構造を詳細に説明する図である。
【図３】ＳＩＭカード保持構造を有する携帯端末装置１００にＳＩＭカード１０６を取り付ける例を説明する図である。
【図４】ＳＩＭカード保持構造を有する携帯端末装置１００にＳＩＭカード１０６を取り付ける例を説明する図である。
【図５】バッテリー１０７を装着時のＳＩＭロック１１１の動作例を説明する断面図である。
【図６】バッテリー１０７、バッテリーカバー１０８を透視した本発明に係る携帯端末装置１００のＳＩＭカード保持状態の概略を説明する図である。
【図７】図６の線Ｄ−Ｄについての断面図である。
【図８】図１における第１の変形例であり、携帯端末装置におけるＳＩＭカード保持構造のＳＩＭロック１１１の作製概略例を説明する図である。
【図９】図１における第２の変形例であり、携帯端末装置におけるＳＩＭカード保持構造のＳＩＭロック１１１の作製概略例を説明する斜視図である。
【図１０】本発明の前提となる携帯端末装置にＳＩＭカードを保持する例を説明する図である。
【図１１】バッテリー１０７、バッテリーカバー１０８を透視した携帯端末装置１００のＳＩＭカード保持状態の概略を説明する図である。
【図１２】図１０の線Ａ−Ａについての断面図である。
【符号の説明】
【００４１】
１００…携帯端末装置
１０１…筐体
１０２…バッテリー収容部
１０３…ＳＩＭカード収容部
１０４…基板
１０５…ＳＩＭコネクター
１０５Ａ…端子部
１０６…ＳＩＭカード
１０７…バッテリー
１０８…バッテリーカバー
１０９…板金
１１０…板金バネ
１１０Ａ…バッテリー側板金バネ部
１１０Ｂ…ＳＩＭカード側板金バネ部
１１１…ＳＩＭロック
【図１】
0004539490.tif 000002
【図２】
0004539490.tif 000003
【図３】
0004539490.tif 000004
【図４】
0004539490.tif 000005
【図５】
0004539490.tif 000006
【図６】
0004539490.tif 000007
【図７】
0004539490.tif 000008
【図８】
0004539490.tif 000009
【図９】
0004539490.tif 000010
【図１０】
0004539490.tif 000011
【図１１】
0004539490.tif 000012
【図１２】
0004539490.tif 000013